(57)【要約】【課題】弁装置の弁体を閉鎖位置に選択的に維持することを可能とする弁体制御装置を提供する。【解決手段】弁体制御装置１００は、弁装置本体２１０を貫通する貫通口２１０ａの周縁内面に当接して貫通口２１０ａを開閉自在に閉鎖する弁体２２０を備える弁装置２００に対して、前記弁体２２０を閉鎖位置に維持する。弁体制御装置１００は、貫通口２１０ａの周縁外面に対して吸着するように構成された吸盤部材１０１を備える。【選択図】図３
2020056469.tif 000002
【特許請求の範囲】
【請求項１】
弁装置本体を貫通する貫通口の周縁内面に当接して前記貫通口を開閉自在に閉鎖する弁体を備える弁装置に対して、前記弁体を閉鎖位置に維持する弁体制御装置であって、
前記貫通口の周縁外面に対して吸着するように構成された吸盤部材を備えることを特徴とする弁体制御装置。
【請求項２】
前記吸盤部材の前記貫通口の周縁外面に接する外周部位を前記貫通口の周縁外面に向けて押圧する押圧部材をさらに備えることを特徴とする請求項１に記載の弁体制御装置。
【請求項３】
前記吸盤部材の中心から立設された雄ねじ状の軸部材をさらに備え、前記押圧部材には、前記軸部材が螺合する雌ねじ部が設けられ、前記押圧部材が前記軸部材に対して螺進退することにより、前記押圧部材及び前記吸盤部材が前記軸部材に沿って互いに相対移動可能であり、前記押圧部材が前記軸部材に対して螺進した状態で前記押圧部材が前記吸盤部材の外周部位を押圧することを特徴とする請求項２に記載の弁体制御装置。
【請求項４】
前記吸盤部材が前記貫通口の周縁外面に対して吸着した状態で、前記吸盤部材の外部からの操作によって前記弁体を開放動作方向に変位させるように作用する解除部材をさらに備えることを特徴とする請求項１に記載の弁体制御装置。
【請求項５】
前記弁装置は、前記弁体を閉鎖位置へと磁力で付勢するように、前記弁装置本体に配置された本体側磁石、及び、前記弁体に配置された弁体側磁石を有し、
前記解除部材は、前記吸盤部材の外面側で前記弁体側磁石に対して近接又は離隔するように配置された解除磁石を備え、
前記解除磁石が前記弁体側磁石に近接したときに、前記弁体側磁石との間に斥力が発生し、斥力によって前記弁体が開放動作方向に変位するように作用することを特徴とする請求項４に記載の弁体制御装置。
【請求項６】
前記吸盤部材の前記貫通口の周縁外面に接する外周部位を前記貫通口の周縁外面に押圧する押圧部材と、
前記吸盤部材の中心から立設された雄ねじ状の軸部材と、をさらに備え、
前記押圧部材には、前記軸部材が螺合する雌ねじ部が設けられ、前記押圧部材が前記軸部材に対して螺進退することにより、前記押圧部材及び前記吸盤部材が前記軸部材に沿って互いに相対移動可能であり、前記押圧部材が前記軸部材に対して螺進した状態で前記押圧部材が前記吸盤部材の外周部位を押圧することを特徴とする請求項４に記載の弁体制御装置。
【請求項７】
前記軸部材は、前記解除部材を軸方向に沿って移動可能に収容する中空体であり、前記解除部材が前記軸部材の内部で前記吸盤部材側の端部の作用位置に変位することによって前記弁体に作用することを特徴とする請求項６に記載の弁体制御装置。
【請求項８】
前記弁装置は、前記弁体を閉鎖位置へと磁力で付勢するように、前記吸気弁本体に配置された本体側磁石、及び、前記弁体に配置された弁体側磁石を有し、
前記解除部材は、前記吸盤部材の外面側で前記弁体側磁石に対して近接又は離隔するように配置された解除磁石を備え、前記解除磁石が前記弁体側磁石に近接したときに、前記弁体側磁石との間に斥力が発生し、斥力によって前記弁体が開放動作方向に変位するように作用し、
前記解除磁石が前記軸部材の内部に軸方向に沿って移動可能に収容され、前記解除磁石が作用位置に移動して前記弁体を開放動作させることを特徴とする請求項７に記載の弁体制御装置。
【請求項９】
前記押圧部材には、前記解除磁石を前記作用位置から離隔した待機位置に磁力で牽引して保持する保持用磁性体が配置されていることを特徴とする請求項８に記載の弁体制御装置。
【請求項１０】
前記押圧部材が前記吸盤部材の外周部位を押圧するときに前記解除磁石は前記待機位置に保持され、前記押圧部材が所定位置を越えて螺退すると、前記解除磁石が自重落下して前記作用位置に移動することを特徴とする請求項９に記載の弁体制御装置。
【請求項１１】
前記弁装置は吸気弁であることを特徴とする請求項１から１０のいずれか一項に記載の弁体制御装置。
【請求項１２】
弁装置本体を貫通する貫通口の周縁内面に当接して前記貫通口を開閉自在に閉鎖する弁体を備える弁装置と、
前記弁体の動作規制時に前記弁装置に選択的に装着される、請求項１から１１のいずれか一項に記載の弁体制御装置と、を備え、
前記弁体制御装置の吸盤部材が、前記弁体で閉鎖された前記貫通口の周縁外面に対して吸着することによって前記弁体の開放動作が規制されることを特徴とする貫通口閉鎖装置。
【請求項１３】
弁装置本体を貫通する貫通口の周縁内面に当接して前記貫通口を開閉自在に閉鎖する弁体を備える弁装置、及び、前記弁体の動作規制時に前記弁装置に選択的に装着される弁体制御装置を備える貫通口閉鎖装置であって、
前記弁装置は、前記弁体を閉鎖位置へと磁力で付勢するように、前記弁装置本体に配置された本体側磁石、及び、前記弁体側に配置された弁体側磁石を備え、
前記弁体制御装置は、
前記貫通口の周縁外面に対して吸着するように構成された吸盤部材と、
前記吸盤部材が前記貫通口の周縁外面に対して吸着した状態で、前記吸盤部材の外部から前記弁体側磁石に対して近接させることで、前記弁体側磁石との間に発生させた斥力によって前記弁体開放動作方向に変位するように作用する解除磁石と、を備えることを特徴とする貫通口閉鎖装置。
【請求項１４】
配管系の構成する配管材の開口に装着され、配管系内部が常圧であるときに弁体が弁装置本体の貫通口を閉鎖し、前記排水経路内部が負圧になったときに前記弁体が前記貫通口を開放して、前記配管系内部の負圧を解消する吸気弁装置と、
前記弁装置本体に装着された弁体制御装置と、を備え、
前記弁体制御装置は、前記弁体を閉鎖位置に維持するように前記弁体の開放動作方向の反対側から前記貫通口の周縁外面に対して吸着した吸盤部材と、前記吸盤部材の前記貫通口の周縁外面に接する外周部位を前記貫通口の周縁に押圧する押圧部材と、を備え、
前記押圧部材によって前記吸盤部材の外周部位が前記貫通口の周縁外面に圧接するとともに、前記吸盤部材の中央部位が前記弁体の開放動作方向と反対側に引き上げられていることを特徴とする配管構造。
【請求項１５】
排水系内部が常圧であるときに弁体が弁装置本体の貫通口を閉鎖し、前記排水系内部が負圧になったときに前記弁体が前記貫通口を開放して、前記排水系内部の負圧を解消する吸気弁装置が装着された排水系を洗浄する方法であって、
前記貫通口の周縁外面に対して吸着可能に構成された吸盤部材を備える弁体制御装置を準備する工程と、
前記弁体の開放動作方向の反対側から前記貫通口を包囲するように前記吸盤部材を前記弁装置本体に吸着させて、前記弁体を閉鎖位置に選択的に維持する工程と、
前記排水系内部に高圧水を注入して高圧洗浄する工程と、を含むことを特徴とする方法。
【発明の詳細な説明】
【技術分野】
【０００１】
本発明は、弁装置に装着されて弁体の開放動作を制動する弁体制御装置、該弁体制御装置及び弁装置からなる貫通口閉鎖装置、該弁体制御装置及び弁装置が配管材に設置された配管構造、並びに、該弁体制御装置を用いて排水系を洗浄する方法に関する。
【背景技術】
【０００２】
一般的に、建築物に設置された台所の流し台、浴槽、トイレ等の排水系には、排水を処理するために排水管が配管されている。このような排水系の配管構造は、Ｓ字やＵ字に湾曲したトラップ部を有する排水管を備え、当該トラップ部に排水を溜めるように構成されている。このトラップ部に溜められた残留排水が排水管内部を塞いで排水管下流から漂う悪臭が室内へ漏れ出ないようにするとともに、排水管下流側から這い上がってくる害虫の侵入をも防いでいる。しかしながら、排水管を通って多量の水が流れる等で排水管内の気圧が下がって負圧となると、トラップ部の残留排水が吸引されて下流へと流されてしまう虞がある。このようなトラップ部における封水破壊を防止するために、排水管のトラップ部よりも下流に吸気弁などの弁装置を配置することが行われている。そして、排水管内が負圧になったときに該吸気弁を介して外気を排水管内に吸引して排水管の負圧状態を解消することにより、トラップ部の封水破壊を防止している。
【０００３】
例えば、特許文献１は、配管材内の負圧をより迅速且つ確実に解消することができる通気弁を開示する。以下、当該段落において、（）内に特許文献１の符号を示す。通気弁（１００）は、排水管（Ｐ）に接続される弁装置本体（１１０）と、該弁装置本体（１１０）に収容され、第１磁石（Ｍ１）が連結された弁体（１３０）と、該弁体（１３０）の弁軸（１３５）に沿って移動可能に第２磁石（Ｍ２）を保持する第２磁石保持体（１５０）と、該弁体（１３０）を保護するように弁装置本体（１１０）の一端に取り付けられたカバー体（１７０）と、を備える。また、弁体（１３０）によって開放及び閉鎖される円形状の貫通口（１１２）が形成されている。該貫通口（１１２）を縁取るように下端側に弁座（１１３）が設けられている。この弁座（１１３）に弁体（１３０）のパッキン（１３２）が密接することにより、貫通口（１１２）が閉鎖される。そして、該弁装置本体（１１０）の下端には、排水管（Ｐ）の接続端（Ｐ’）に接続するための接続口（１１９）が形成されている。接続口（１１９）の内筒壁（１１９ａ）が排水管（Ｐ）の接続端（Ｐ’）に嵌入することにより、通気弁（１００）が排水管（Ｐ）に取着される。配管構造（１０）において、排水管（Ｐ）内の負圧が大きくなると、弁体（１３０）を介した弁装置本体（１１０）の内外で圧力差が生じ、該圧力差が第１磁石（Ｍ１）及び第２磁石（Ｍ２）間の斥力を上回ると、弁体（１３０）が弁軸（１３５）の軸方向に沿って開放位置に向けて移動を開始する。弁体（１３０）が開放位置に移動すると、貫通口（１１２）を介して外気を吸入する。その結果として、排水管（Ｐ）内の負圧が解消される。
【先行技術文献】
【特許文献】
【０００４】
【特許文献１】特開２０１５−２３２３６９号公報
【発明の概要】
【発明が解決しようとする課題】
【０００５】
ところで、排水系を洗浄するには、多くの場合、高圧水を排水系に流し込んで高圧洗浄を行っている。特許文献１のように、通気弁を配管材に取り付けた構造では、弁体が自在に開閉動作可能であり、配管材内の負圧が迅速に解消される一方で、高圧水による衝撃や圧力変動によって弁体が開放動作し易く、高圧洗浄の際、高圧水が通気弁を介して噴出してしまう虞があった。そこで、本願の発明者らは、（通気弁に限らない）弁装置の弁体の開放動作を効果的に制動することをその課題とした。
【０００６】
本発明は、上記課題を解決するためになされたものであり、その目的は、弁装置に対して容易に導入可能であり、弁装置の弁体を閉鎖位置に選択的に維持することを可能とする弁体制御装置、貫通口閉鎖装置、配管構造、及び、該弁体制御装置を用いた排水系の洗浄方法を提供することにある。
【課題を解決するための手段】
【０００７】
請求項１に記載の弁体制御装置は、弁装置本体を貫通する貫通口の周縁内面に当接して前記貫通口を開閉自在に閉鎖する弁体を備える弁装置に対して、前記弁体を閉鎖位置に維持する弁体制御装置であって、
前記貫通口の周縁外面に対して吸着するように構成された吸盤部材を備えることを特徴とする。
【０００８】
請求項２に記載の弁体制御装置は、請求項１に記載の弁体制御装置において、前記吸盤部材の前記貫通口の周縁外面に接する外周部位を前記貫通口の周縁外面に向けて押圧する押圧部材をさらに備えることを特徴とする。
【０００９】
請求項３に記載の弁体制御装置は、請求項２に記載の弁体制御装置において、前記吸盤部材の中心から立設された雄ねじ状の軸部材をさらに備え、前記押圧部材には、前記軸部材が螺合する雌ねじ部が設けられ、前記押圧部材が前記軸部材に対して螺進退することにより、前記押圧部材及び前記吸盤部材が前記軸部材に沿って互いに相対移動可能であり、前記押圧部材が前記軸部材に対して螺進した状態で前記押圧部材が前記吸盤部材の外周部位を押圧することを特徴とする。
【００１０】
請求項４に記載の弁体制御装置は、請求項１に記載の弁体制御装置において、前記吸盤部材が前記貫通口の周縁外面に対して吸着した状態で、前記吸盤部材の外部からの操作によって前記弁体を開放動作方向に変位させるように作用する解除部材をさらに備えることを特徴とする。
【００１１】
請求項５に記載の弁体制御装置は、請求項４に記載の弁体制御装置において、前記弁装置は、前記弁体を閉鎖位置へと磁力で付勢するように、前記弁装置本体に配置された本体側磁石、及び、前記弁体に配置された弁体側磁石を有し、前記解除部材は、前記吸盤部材の外面側で前記弁体側磁石に対して近接又は離隔するように配置された解除磁石を備え、前記解除磁石が前記弁体側磁石に近接したときに、前記弁体側磁石との間に斥力が発生し、斥力によって前記弁体が開放動作方向に変位するように作用する。
【００１２】
請求項６に記載の弁体制御装置は、請求項４に記載の弁体制御装置において、前記吸盤部材の前記貫通口の周縁外面に接する外周部位を前記貫通口の周縁外面に押圧する押圧部材と、
前記吸盤部材の中心から立設された雄ねじ状の軸部材と、をさらに備え、
前記押圧部材には、前記軸部材が螺合する雌ねじ部が設けられ、前記押圧部材が前記軸部材に対して螺進退することにより、前記押圧部材及び前記吸盤部材が前記軸部材に沿って互いに相対移動可能であり、前記押圧部材が前記軸部材に対して螺進した状態で前記押圧部材が前記吸盤部材の外周部位を押圧することを特徴とする。
【００１３】
請求項７に記載の弁体制御装置は、請求項６に記載の弁体制御装置において、前記軸部材は、前記解除部材を軸方向に沿って移動可能に収容する中空体であり、前記解除部材が前記軸部材の内部で前記吸盤部材側の端部の作用位置に変位することによって前記弁体に作用することを特徴とする。
【００１４】
請求項８に記載の弁体制御装置は、請求項７に記載の弁体制御装置において、前記弁装置は、前記弁体を閉鎖位置へと磁力で付勢するように、前記吸気弁本体に配置された本体側磁石、及び、前記弁体に配置された弁体側磁石を有し、
前記解除部材は、前記吸盤部材の外面側で前記弁体側磁石に対して近接又は離隔するように配置された解除磁石を備え、前記解除磁石が前記弁体側磁石に近接したときに、前記弁体側磁石との間に斥力が発生し、斥力によって前記弁体が開放動作方向に変位するように作用し、
前記解除磁石が前記軸部材の内部に軸方向に沿って移動可能に収容され、前記解除磁石が作用位置に移動して前記弁体を開放動作させることを特徴とする。
【００１５】
請求項９に記載の弁体制御装置は、請求項８に記載の弁体制御装置において、前記押圧部材には、前記解除磁石を前記作用位置から離隔した待機位置に磁力で牽引して保持する保持用磁性体が配置されていることを特徴とする。
【００１６】
請求項１０に記載の弁体制御装置は、請求項９に記載の弁体制御装置において、前記押圧部材が前記吸盤部材の外周部位を押圧するときに前記解除磁石は前記待機位置に保持され、前記押圧部材が所定位置を越えて螺退すると、前記解除磁石が自重落下して前記作用位置に移動することを特徴とする。
【００１７】
請求項１１に記載の弁体制御装置は、請求項１から１０のいずれか一項に記載の弁体制御装置において、前記弁装置は吸気弁であることを特徴とする。
【００１８】
請求項１２に記載の貫通口閉鎖装置は、弁装置本体を貫通する貫通口の周縁内面に当接して前記貫通口を開閉自在に閉鎖する弁体を備える弁装置と、
前記弁体の動作規制時に前記弁装置に選択的に装着される、請求項１から１１のいずれか一項に記載の弁体制御装置と、を備え、
前記弁体制御装置の吸盤部材が、前記弁体で閉鎖された前記貫通口の周縁外面に対して吸着することによって前記弁体の開放動作が規制されることを特徴とする。
【００１９】
請求項１３に記載の貫通口閉鎖装置は、弁装置本体を貫通する貫通口の周縁内面に当接して前記貫通口を開閉自在に閉鎖する弁体を備える弁装置、及び、前記弁体の動作規制時に前記弁装置に選択的に装着される弁体制御装置を備える貫通口閉鎖装置であって、
前記弁装置は、前記弁体を閉鎖位置へと磁力で付勢するように、前記弁装置本体に配置された本体側磁石、及び、前記弁体側に配置された弁体側磁石を備え、
前記弁体制御装置は、
前記貫通口の周縁外面に対して吸着するように構成された吸盤部材と、
前記吸盤部材が前記貫通口の周縁外面に対して吸着した状態で、前記吸盤部材の外部から前記弁体側磁石に対して近接させることで、前記弁体側磁石との間に発生させた斥力によって前記弁体開放動作方向に変位するように作用する解除磁石と、を備えることを特徴とする。
【００２０】
請求項１４に記載の配管構造は、配管系の構成する配管材の開口に装着され、配管系内部が常圧であるときに弁体が弁装置本体の貫通口を閉鎖し、前記排水経路内部が負圧になったときに前記弁体が前記貫通口を開放して、前記配管系内部の負圧を解消する吸気弁装置と、
前記弁装置本体に装着された弁体制御装置と、を備え、
前記弁体制御装置は、前記弁体を閉鎖位置に維持するように前記弁体の開放動作方向の反対側から前記貫通口の周縁外面に対して吸着した吸盤部材と、前記吸盤部材の前記貫通口の周縁外面に接する外周部位を前記貫通口の周縁に押圧する押圧部材と、を備え、
前記押圧部材によって前記吸盤部材の外周部位が前記貫通口の周縁外面に圧接するとともに、前記吸盤部材の中央部位が前記弁体の開放動作方向と反対側に引き上げられていることを特徴とする。
【００２１】
請求項１５に記載の方法は、排水系内部が常圧であるときに弁体が弁装置本体の貫通口を閉鎖し、前記排水系内部が負圧になったときに前記弁体が前記貫通口を開放して、前記排水系内部の負圧を解消する吸気弁装置が装着された排水系を洗浄する方法であって、
前記貫通口の周縁外面に対して吸着可能に構成された吸盤部材を備える弁体制御装置を準備する工程と、
前記弁体の開放動作方向の反対側から前記貫通口を包囲するように前記吸盤部材を前記弁装置本体に吸着させて、前記弁体を閉鎖位置に選択的に維持する工程と、
前記排水系内部に高圧水を注入して高圧洗浄する工程と、を含むことを特徴とする。
【発明の効果】
【００２２】
請求項１に記載の弁体制御装置によれば、吸盤部材が弁装置本体の貫通口の周縁外面に対して吸着することにより、弁体の開放動作を効果的に制動することができる。すなわち、吸盤部材が弁体の開放動作方向とは反対側から貫通口を覆い、且つ、弁体が貫通口を周縁内面に当接して閉鎖することにより、貫通口を介した吸盤部材と弁体との間には、閉鎖空間が形成される。そして、吸盤部材が真空様に潰れて弁装置本体に吸着することにより、閉鎖空間の圧力が外部空間の圧力と比べて大幅に低下する。この圧力差が弁体を吸盤部材側に引き付けるように作用することにより、弁体を閉鎖位置に恒常的に維持することができる。すなわち、本発明の弁体制御装置は、弁装置に容易に取り付けられて、弁体を閉鎖位置に制御することが可能である。
【００２３】
請求項２に記載の弁体制御装置によれば、請求項１の発明の効果に加えて、吸盤部材の外周部位を貫通口周縁外面に向けて押圧する押圧部材によって、吸盤部材の外周部位が貫通口周縁外面から外れて吸盤内の略真空状態が破壊されることを防止することができる。
【００２４】
請求項３に記載の弁体制御装置によれば、請求項２の発明の効果に加えて、押圧部材を軸部材に対して螺進退させて押圧部材及び吸盤部材を互いに相対移動させることにより、押圧部材による押圧操作、及び、押圧の解除操作を容易に行うことができる。さらに、押圧部材の軸部材に対する螺進に伴って、押圧部材が吸盤部材の中心部位を上方に引き上げるように作用する。この押圧部材による吸盤部材の引き上げによって、ただ単に吸盤部材を吸着させた状態よりも強く吸着する真空吸着状態を形成することができる。
【００２５】
請求項４に記載の弁体制御装置によれば、請求項１の発明の効果に加えて、解除部材を操作して、吸盤部材の外側、且つ、弁装置外部から弁体を開放動作方向に強制的に変位させることにより、貫通口から空気を吸盤部材内に流入させて吸盤内の真空状態を解消し、吸盤部材を弁装置から容易に取り外すことが可能である。
【００２６】
請求項５に記載の弁体制御装置によれば、請求項４の発明の効果に加えて、解除磁石が弁体側磁石に近接したときに、弁体側磁石との間に斥力が発生し、当該斥力によって弁体が開放動作方向に変位するように作用する。すなわち、磁力を利用した簡易な機構で、吸盤部材を弁装置から容易に取り外すことが可能である。
【００２７】
請求項６に記載の弁体制御装置によれば、請求項４の発明の効果に加えて、吸盤部材の外周部位を貫通口周縁外面に押圧する押圧部材によって、吸盤部材の外周部位が貫通口周縁外面から外れて吸盤内の略真空状態が破壊されることを防止することができる。さらに、押圧部材を軸部材に沿って螺進退させて押圧部材及び吸盤部材を互いに相対移動させることにより、押圧部材による吸盤部材の外周部位の押圧操作、及び、押圧の解除操作を容易に行うことができる。さらに、押圧部材の軸部材に対する螺進に伴って、押圧部材が吸盤部材の中心部位を上方に引き上げるように作用する。この押圧部材による吸盤部材の引き上げによって、ただ単に吸盤部材を吸着させた状態よりも強く吸着する真空吸着状態を形成することができる。
【００２８】
請求項７に記載の弁体制御装置によれば、請求項６の発明の効果に加えて、解除部材を軸部材内部に移動可能に収容することにより、弁体制御装置全体をコンパクトに構成することができる。
【００２９】
請求項８に記載の弁体制御装置によれば、請求項７の発明の効果に加えて、軸部材の内部に移動式に収容された解除磁石が、軸方向に沿って弁体側磁石に近接して作用位置に到達したときに、弁体側磁石との間に斥力が発生し、当該斥力によって弁体が開放動作方向に変位するように作用する。すなわち、磁力を利用した簡易且つコンパクトな機構で、吸盤部材を弁装置から容易に取り外すことが可能である。
【００３０】
請求項９に記載の弁体制御装置によれば、請求項８の発明の効果に加えて、弁体による閉鎖状態を維持するときには、保持用磁性体によって解除磁石を作用位置から離隔した待機位置に磁気引力を利用して容易に保持することができる。
【００３１】
請求項１０に記載の弁体制御装置によれば、請求項９の発明の効果に加えて、押圧部材が軸部材に対して所定位置を越えて螺退すると、解除磁石と保持用磁性体との距離の増大に伴って磁気引力が低下し、その結果、解除磁石が自重落下して作用位置に移動して弁体が開放動作方向に変位する。すなわち、押圧部材の螺進退動作に連動するように、解除磁石を作用位置と待機位置との間で移動させることができる。よって、ユーザは、押圧部材の後退方向への回転操作で、吸盤部材を弁装置から容易に取り外すことが可能である。
【００３２】
請求項１１に記載の弁体制御装置によれば、請求項１から１０のいずれかの発明の効果を吸気弁に対して発揮することができる。すなわち、吸気弁が取着された配管系の内部の圧力が変動したとしても、弁体を閉鎖位置に選択的に維持することができる。
【００３３】
請求項１２に記載の貫通口閉鎖装置によれば、請求項１から１１のいずれかの発明の効果を貫通口閉鎖装置として発揮することができる。すなわち、貫通口閉鎖装置は、弁体の開放動作が必要な場合には、弁装置のみで機能し、貫通口の恒常的な閉鎖が必要な場合には、弁体制御装置を弁装置に装着することにより、弁体の開放動作を選択的に規制することができる。
【００３４】
請求項１３の貫通口閉鎖装置によれば、吸盤部材が弁装置本体の貫通口の周縁外面に対して吸着することにより、弁体の開放動作を効果的に制動することができる。すなわち、吸盤部材が弁体の開放動作方向とは反対側から貫通口を覆い、且つ、弁体が貫通口を周縁内面に当接して閉鎖することにより、貫通口を介した吸盤部材と弁体との間には、閉鎖空間が形成される。そして、吸盤部材が真空様に潰れて弁装置本体に吸着することにより、閉鎖空間の圧力が外部空間の圧力と比べて大幅に低下する。この圧力差が弁体を吸盤部材側に引き付けるように作用することにより、弁体を閉鎖位置に恒常的に維持することができる。また、解除磁石が弁体側磁石に近接したときに、弁体側磁石との間に斥力が発生し、当該斥力によって弁体が開放動作方向に変位するように作用する。すなわち、磁力を利用した簡易な機構で、吸盤部材を弁装置から容易に取り外すことが可能である。さらに、貫通口閉鎖装置は、弁体の開放動作が必要な場合には、弁装置のみで機能し、貫通口の恒常的な閉鎖が必要な場合には、弁体制御装置を弁装置に装着することにより、弁体の開放動作を選択的に規制することができる。すなわち、本発明の貫通口閉鎖装置は、弁装置に容易に取り付け及び取り外し可能であり、弁体を閉鎖位置への維持を簡単に選択して制御することが可能である。
【００３５】
請求項１４に記載の配管構造によれば、吸盤部材が弁装置本体の貫通口の周縁外面に対して吸着していることにより、弁体の開放動作を効果的に制動することができる。すなわち、吸盤部材が弁体の開放動作方向とは反対側から貫通口周縁を覆い、且つ、弁体が貫通口を周縁内面に当接して閉鎖していることにより、貫通口を介した吸盤部材と弁体との間には、閉鎖空間が形成されている。そして、吸盤部材が真空様に潰れて弁装置本体に吸着することにより、閉鎖空間の圧力が外部空間の圧力と比べて大幅に低下する。この圧力差が弁体を吸盤部材側に引き付けるように作用することにより、弁体を閉鎖位置に恒常的に維持することができる。さらに、吸盤部材の外周部位を貫通口周縁外面に押圧する押圧部材によって、吸盤部材の外周部位が貫通口周縁外面から外れて吸盤内の略真空状態が破壊されることを防止することができる。したがって、本発明の配管構造は、弁体を閉鎖位置に安定的に維持することが可能である。
【００３６】
請求項１５に記載の吸気弁装置が装着された排水系を洗浄する方法によれば、排水系内部を高圧洗浄する前に、弁体の開放動作方向の反対側から貫通口の周縁外面に対して吸盤部材を吸着させることにより、高圧洗浄時の排水系内部の圧力変動に抗して、弁体を閉鎖位置に安定的に維持することが可能である。特には、吸盤部材が、弁体で閉鎖された貫通口を覆いつつ弁装置本体に吸着することにより、弁体の開放動作を効果的に制動することができる。すなわち、吸盤部材が弁体の開放動作方向とは反対側から貫通口を覆い、且つ、弁体が貫通口を周縁内面に当接して閉鎖していることにより、貫通口を介した吸盤部材と弁体との間には、閉鎖空間が形成されている。そして、吸盤部材が真空様に潰れて弁装置本体に吸着することにより、閉鎖空間の圧力が外部空間の圧力と比べて大幅に低下する。この圧力差が弁体を吸盤部材側に引き付けるように作用することにより、弁体を閉鎖位置に維持することができる。したがって、本発明の方法によれば、高圧洗浄の際、高圧水による衝撃や圧力変動によって弁体が開放動作して高圧水が吸気弁装置を介して噴出することを効果的に防止することができる。
【図面の簡単な説明】
【００３７】
【図１】本発明に係る一実施形態の弁体制御装置の（ａ）上方からの斜視図、（ｂ）下方からの斜視図。
【図２】図１の弁体制御装置の（ａ）平面図、（ｂ）正面図、及び（ｃ）底面図。
【図３】図１の弁体制御装置のＡ−Ａ断面図。
【図４】図３の弁体制御装置の押圧部材の吸盤部材からの離隔動作（第１の距離）を示す図。
【図５】図３の弁体制御装置の押圧部材の吸盤部材からの離隔動作（第２の距離）を示す図。
【図６】図１の弁体制御装置の分解斜視図。
【図７】本発明に係る一実施形態の弁装置の（ａ）上方からの斜視図、（ｂ）下方からの斜視図。
【図８】図７の弁装置の（ａ）平面図、（ｂ）正面図、及び（ｃ）底面図。
【図９】図８の弁装置のＢ−Ｂ断面図。
【図１０】図８の弁装置のＣ−Ｃ断面図。
【図１１】図７の弁装置の分解斜視図。
【図１２】図７の弁装置が取着された配管構造において、連通路が開放された状態の概略断面図。
【図１３】本発明に係る一実施形態の弁体制御装置が弁装置に導入された配管構造の斜視図。
【図１４】図１５の配管構造の縦断面図。
【図１５】図１５の配管構造の分解図。
【図１６】図１５の弁体閉鎖維持状態の配管構造を構築するための方法であって、弁装置に対して弁体制御装置を載置した工程を示す模式図。
【図１７】図１５の弁体閉鎖維持状態の配管構造を構築するための方法であって、押圧部材で弁装置を押圧する工程を示す模式図。
【図１８】図１５の配管構造の弁体閉鎖維持状態を解除するための方法であって、弁装置に対して弁体制御装置を載置した工程を示す模式図。
【図１９】図１５の配管構造の弁体閉鎖維持状態を解除するための方法であって、押圧部材で弁装置を押圧する工程を示す模式図。
【図２０】本発明に係る別実施形態の弁体制御装置を示す概略図。
【図２１】本発明に係る別実施形態の弁体制御装置を示す概略図。
【図２２】本発明に係る別実施形態の弁体制御装置を示す概略図。
【図２３】本発明に係る別実施形態の弁体制御装置を示す概略図。。
【図２４】図２３の弁体制御装置の使用例を示す概略図。
【発明を実施するための形態】
【００３８】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本発明における上下左右の方向は、相対的な位置を示す概念にすぎず、これらを入れ替えて適用可能であることは言うまでもない。
【００３９】
本実施形態の一実施形態の配管構造１０は、排水管が配設された排水系の配管構造である。当該配管構造１０には、外部に開口して排水系の内外に連通する連通路を形成する中空の配管材１１が設けられ、連通路を閉鎖するべく該配管材１１の開口に吸気弁として機能する弁装置２００が装着される（図１２参照）。当該配管構造１０において、弁装置２００の弁体２２０の開放動作を制動するための弁体制御装置１００が弁装置２００に装着される。そして、本実施形態の弁体制御装置１００及び弁装置２００によって貫通口閉鎖装置が構成される。該貫通口閉鎖装置は、状況に応じて、弁体制御装置装置１００の弁装置２００への装着を選択的に可能とする装置である。なお、本実施形態は、本発明の一例にすぎず、その用途、構成を限定するものではないことは言うまでもない。以下、図面に沿って、本実施形態の弁体制御装置１００及び弁装置２００の構成を説明する。
【００４０】
まず、図１乃至図６を参照して、本発明の一実施形態の弁体制御装置１００の構成を説明する。図１（ａ），（ｂ）は、本発明の一実施形態の弁体制御装置１００の概略斜視図である。図２（ａ）〜（ｃ）は、該弁体制御装置１００の平面図、正面図及び底面図である。図３は、該弁体制御装置１００のＡ−Ａ断面図である。図４，図５は、図３の弁体制御装置１００の動作を示す概略断面図である。図６は、該弁体制御装置１００の分解斜視図である。
【００４１】
本実施形態の弁体制御装置１００は、弁装置２００に取着されて、弁装置２００の弁体２２０の開放動作を規制するものである。図１乃至図３に示すとおり、弁体制御装置１００は、吸着対象の物体平面に吸着するように構成された吸盤部材１０１と、該吸盤部材１０１に連設された軸部材１０３と、該軸部材１０３に取着された押圧部材１０５と、を備える。図６に示すように、弁体制御装置１００は、吸盤部材１０１、軸部材１０３及び押圧部材１０５が１つに組み合わさってなる。また、弁体制御装置１００には、吸着を解除するための解除部材としての解除磁石１０７、及び、該解除磁石１０７を所定位置に保持するための保持用磁性体１０９が備えられている。
【００４２】
吸盤部材１０１は、下方に開口したドーム状に成形されたゴムや合成樹脂などの弾性材料から形成されてなる。また、吸盤部材１０１は、吸着対象の物体平面に当接する環状の当接面を有する外周部位１０１ａ、該外周部位１０１ａから中心に向けて盛り上がって内部に空間を形成する中心部位１０１ｂ、及び、該中心部位１０１ｂの中央上部に形成された台状部位１０１ｃを有する。さらに、吸盤部材１０１の外周部位１０１ａの上面には、環状凸部１０３ｄが突設されている。該環状突部１０３ｄの内径は、後述する押圧部材１０５の押圧部１０５ｅの外径に対応する。該環状突部１０３ｄは、押圧部１０５ｅが径方向にずれることを防止するように機能する。吸盤部材１０１の外周部位１０１ａ下面が吸着対象の物体平面に密に当接した状態で、台状部位１０１ｃが物体平面に対して押圧されると、吸盤部材１０１全体が圧潰するように弾性変形して、中心部位１０１ｂの内部の空気が外部に押し出される。そして、吸盤部材１０１の全体形状が部分的に弾性復帰するとともに、吸盤部材１０１（中心部位１０１ｂ）の内部が略真空状態（外気と比べて圧力が極めて低い状態）となり、吸盤部材１０１が物体平面に吸着される。なお、本実施形態では、吸盤部材１０１は、円錐状の空間を形成しているが、吸盤として機能すればその形状は問わず、半球状などの任意の形状を取り得る。
【００４３】
軸部材１０３は、軸方向に延びる略円筒形状を有し、その下端で吸盤部材１０１の台状部位１０１ｃに埋め込まれるようにして固定されている。つまり、軸部材１０３は、吸盤部材１０１の中心から上方（吸着面の反対側）に立設されている。この軸部材１０３は、例えば、合成樹脂などの硬質材料からなる。軸部材１０３は、吸盤部材１０１側に形成された雄ねじ状の外周を有する中空の雄ねじ部１０３ａと、該雄ねじ１０３ａの内部に形成された収容部１０３ｂと、雄ネジ部１０３ａ上端から延びるとともに該収容部１０３ｂの上端を封鎖する封鎖部１０３ｃとからなる。雄ねじ部１０３ａは、後述する押圧部材１０５の雌ねじ部１０５ｂに螺合するように構成されている。図３に示すように、収容部１０３ｂは、解除磁石１０７を収容可能に軸方向に沿って延びる中空空間である。封鎖部１０３ｃは、雄ねじ部１０５ｂの上端から内挿されて固定されている。封鎖部１０３ｃの上端には、ユーザーの操作を容易とする拡径した張り出し１０３ｄが形成されている。また、封鎖部１０３ｃの下端には、収容部１０３ｂ内の解除磁石１０７を係止する係止面１０３ｅが形成されている。
【００４４】
押圧部材１０５は、柱状の本体部１０５ａと、該本体部１０５ａの下方に形成された中空筒状の裾部１０５ｂと、該裾部１０５ｃの下端から外方に延在する環状のフランジ部１０５ｃとを備える。図２に示すように、本体部１０５ａは、ユーザが押圧部材１０５を回転操作し易いように、波状に湾曲した外周面を有し、上端から下端につれて拡径している。裾部１０５ｂは、図３に示すように、軸部材１０３の下端部、及び、吸盤部材１０１の中心部位１０１ｂを少なくとも包囲可能な中空空間を内部に形成している。そして、フランジ部１０５ｃは、吸盤部材１０１の外周部位１０１ａを上方から覆うように吸盤部材１０１の外径よりも大きく形成されている。
【００４５】
また、本体部１０５ａの中心には、雌ねじ部１０５ｄが軸方向に貫通形成されている。雌ねじ部１０５ｄは、軸部材１０３の雄ねじ部１０３ａに螺合して軸部材１０３を内挿する。すなわち、雄ねじ部１０３ａ及び雌ねじ部１０５ｄの螺合関係により、押圧部材１０５が軸部材１０３上を軸方向に沿って螺進退することが可能である。具体的には、押圧部材１０５が一方向に回転することにより、押圧部材１０５が螺進して軸部材１０３に対して吸盤部材１０１に近接する方向に相対移動し、他方、押圧部材１０５が他方向に回転することにより、押圧部材１０５が螺退し、軸部材１０３に対して吸盤部材１０１から離隔する方向に相対移動する。
【００４６】
さらに、裾部１０５ｂの下面には、押圧部１０５ｅが突出形成されている。押圧部１０５ｅは、円環状に延在する突条であり、吸盤部材１０１の外周部位１０１ａを吸着対象の物体平面に押し付けるように機能する。また、押圧部１０５ｅは、押圧の際、吸盤部材１０１の環状突部１０３ｄの内側に隣接配置される。なお、図３の状態では、押圧部材１０５が軸部材１０３に対して螺進して、押圧部１０５ｅが外周部位１０１ａに当接している。
【００４７】
解除磁石１０７は、吸盤部材１０１の吸着を解除するための解除部材として機能する。該解除磁石１０７は、短尺の円柱形状を有し、軸部材１０３内部の収容部１０３ｂに軸方向に亘ってスライド可能に収容されている。また、解除磁石１０７は、後述する弁体側磁石２２５に斥力を作用可能な磁力を有するように、比較的強力なネオジム磁石等の永久磁石からなる。
【００４８】
保持用磁性体１０９は、解除磁石１０７を収容部１０３ｂの中の下端領域に位置する作用位置から離隔した待機位置に磁力で牽引して保持するように機能する。図３，６に示すように、保持用磁性体１０９はリング状の磁石からなる。保持用磁性体１０９は、軸部材１０３を包囲するように押圧部材１０５の本体部１０５ａの上端側に固定されている。また、保持用磁性体１０９は、鉄ワッシャーなどの磁性体からなり、比較的強力な解除磁石１０７に対して軸部材１０３の外壁を介して磁着可能である。なお、保持用磁性体１０９は、解除磁石１０７と同様に比較的強力なネオジム磁石等の永久磁石からなってもよい。
【００４９】
すなわち、図６に示すように、吸盤部材１０１及び軸部材１０３が一体的に固定され、軸部材１０３が押圧部材１０５に対して螺合することにより、弁体制御装置１００が組み合わさっている。また、押圧部材１０５が回転して軸部材１０３に対して螺進退することにより、押圧部材１０５が軸部材１０３上で吸盤部材１０１に対して近接又は離隔するように移動可能である。押圧部材１０５は、押圧部１０５ｅが吸盤部材１０１の外周部位１０１ａの上面に当接又は圧接するまで螺進可能であり、且つ、軸部材１０３上端の張り出し１０３ｄが本体部１０５ａの上面に当接するまで螺退可能である。また、解除磁石１０７は、図３に示すように、互いに作用し合う磁気牽引力が自重（重力）を上回る程に解除磁石１０７及び保持用磁性体１０９間の距離が小さい場合において、収容部１０３ｂ内で空中（下端から浮いた位置）に保持され得る。そして、本実施形態の弁体制御装置１００は、以下に詳細に説明するように、押圧部材１０５の軸部材１０３に対する相対移動に従って、解除磁石１０７及び保持用磁性体１０９間の距離が変動し、解除磁石１０７が軸部材１０３の収容部１０３ｂ内部で軸方向上端から下端へと移動するように動作する。後述するが、解除磁石１０７が下端領域に移動すると、吸盤部材１０１の下方まで磁力が及び、吸盤部材１０１の吸着対象の物体平面近傍に位置する磁石に対して磁気的に作用可能である。この磁気作用を発揮する下端領域を作用位置と定める。
【００５０】
次に、図３乃至図５を参照して、押圧部材１０５の軸部材１０３に対する相対位置の変位に伴う弁体制御装置１００の動作について説明する。
【００５１】
図３は、押圧部１０５ｅが外周部位１０１ａに当接する位置まで押圧部材１０５が螺進した螺進状態を示している。図３では、押圧部材１０５が軸部材１０３に対して十分に螺進して、押圧部１０５ｅが外周部位１０１ａに当接している。このとき、解除磁石１０７は、収容部１０３ｂの上端領域に位置し、保持用磁性体１０９とほぼ同じ高さにある。つまり、保持用磁性体１０９と解除磁石１０７との距離がほぼ最小となり、解除磁石１０７及び保持用磁性体１０９間の磁気引力が最大となっている。そして、解除磁石１０７及び保持用磁性体１０９間の磁気引力が重力に勝ることにより、解除磁石１０７が浮いた状態で保持されている。この収容部１０３ｂの上端領域は、待機位置として定められる。弁体制御装置１００では、弁体２２０の開放動作規制中に、保持用磁性体１０９は解除磁石１０７を当該待機位置に待機させる。後述するとおり、弁体制御装置１００は、弁装置２００に吸盤部材１０１を押圧部材１０５で固定する押圧工程において、この螺進状態を取り得る。
【００５２】
図４は、図３の螺進状態から押圧部材１０５が軸部材１０３に対して途中まで螺退した中間状態を示している。図４では、押圧部１０５ｅが外周部位１０１ａから離隔して、吸盤部材１０１の中心部位１０１ｂの一部が押圧部材１０５の裾部１０５ｂから下方に突出している。ここでは、吸盤部材１０１の中心部位１０１ｂ（つまり、弾性変形可能な部位）が押圧部材１０５の外部に位置する。この中間状態では、弁体制御装置１００を吸着対象の物体平面に対して押し下げたときに、吸盤部材１０１の中心部位１０１ｂ内面が吸着対象の物体平面に当接するまで吸盤部材１０１を弾性変形させることが可能である。また、押圧部材１０５の軸部材１０３に対する螺退に伴い、押圧部材１０５が軸部材１０３の上方に相対移動し、保持用磁性体１０９が収容部１０３ｂの上端領域よりも上方に位置している。この中間状態では、保持用磁性体１０９と解除磁石１０７との距離が螺進状態から増加したものの、解除磁石１０７及び保持用磁性体１０９間の磁気引力が重力をいまだ上回っている。そして、解除磁石１０７及び保持用磁性体１０９間の磁気引力によって、解除磁石１０７は、係止面１０３ｅに係止されるとともに収容部１０３ｂの上端領域の待機位置に保持されている。すなわち、弁体制御装置１００は、中間状態において、吸盤部材１０１を圧潰変形可能な位置に配置するとともに、解除磁石１０７を待機位置に保持する。後述するとおり、弁体制御装置１００は、弁装置２００に吸盤部材１０１を吸着する吸着工程において、この中間状態を取り得る。
【００５３】
図５は、図４の中間状態から押圧部材１０５が軸部材１０３に対してほぼ完全に螺退した螺退状態を示している。図５では、押圧部１０５ｅが外周部位１０１ａから大きく離隔して、吸盤部材１０１全体及び軸部材１０３下端領域が押圧部材１０５の裾部１０５ｂから下方に突出している。押圧部材１０５の軸部材１０３に対する螺退に伴い、押圧部材１０５が軸部材１０３の上端まで相対移動し、保持用磁性体１０９が収容部１０３ｂの上端領域よりも上方に離隔して位置している。この螺退状態では、解除磁石１０７が収容部１０３ｂの下端領域の作用位置に配置され、吸盤部材１０１よりも下方に磁力（弁体２２０を開放動作させる程度の斥力）を及ぼすことが可能である。すなわち、中間状態から螺退状態へと移行する際、保持用磁性体１０９と解除磁石１０７との間の距離が増加するにつれて、両者の間の磁気引力が弱まっていく。そして、保持用磁性体１０９及び解除磁石１０７間の距離が所定の距離を越えると、磁気引力が解除磁石１０７に作用する重力を下回る。その結果、解除磁石１０７が自重落下して作用位置へと配置される。後述するとおり、弁体制御装置１００は、弁装置２００から吸盤部材１０１を取り外す解除工程において、この螺退状態を取り得る。
【００５４】
なお、上記説明とは反対に、螺退状態から押圧部材１０５を軸部材１０３に対して螺進させると、保持用磁性体１０９と解除磁石１０７との間の距離が減少するにつれて、両者の間の磁気引力が増加又は発生を開始する。そして、保持用磁性体１０９及び解除磁石１０７間の距離が所定の距離以下になると、磁気引力が解除磁石１０７に作用する重力を上回る。その結果、解除磁石１０７が浮遊して待機位置へと配置される。
【００５５】
次に、図７乃至図１２を参照して、本発明の一実施形態の弁装置２００の構成を説明する。図７（ａ），（ｂ）は、本発明の一実施形態の弁装置２００の斜視図である。図８（ａ）〜（ｄ）は、該弁装置２００の平面図、正面図、側面図及び底面図である。図９は、該弁装置２００のＢ−Ｂ縦断面図である。図１０は、該弁装置２００のＣ−Ｃ横断面図である。図１１は、該弁装置２００の分解斜視図である。図１２は、配管材１１に設置された弁装置２００の動作を示す模式図である。
【００５６】
弁装置２００は、配管材１１の円筒状の筒部の開口部に固定され（図１２参照）、配管材内の圧力変動に応じて連通路を選択的に閉鎖及び連通させるように構成されている。図７，図８及び図１１に示すとおり、弁装置２００は、配管材１１の開口部に取り付けられる弁装置本体２１０と、該弁装置本体２１０に軸方向に対して可動式に支持された弁体２２０と、該弁体２２０を保護するように弁装置本体２１０の外部側の端部に取り付けられたカバー体２３０と、を備える。
【００５７】
弁装置本体２１０は、その両端が開放されたとともに、軸方向に沿って延びる円筒形状を有する。つまり、弁装置本体２１０は、上方（配管材の外部側）に外気を配管材内部に取り入れるための貫通口２１０ａを有し、下端（配管材の内部側）に配管材に接続される接続口２１０ｂを有している。貫通口２１０ａ及び接続口２１０ｂは、軸方向に対して垂直な平面上に延在している。そして、弁装置本体２１０の貫通口２１０ａと接続口２１０ｂとの間の空間に、弁体２２０を可動式に収容するための弁体収容空間２１０ｃが設けられている。
【００５８】
また、弁装置本体２１０は、弁体収容空間２１０ｃを包囲する周壁２１１と、該周壁２１１の内面に連結され、上方を臨むとともに貫通口２１０ａの周縁内外面を形成する上壁２１２と、該上壁２１１から立設した立壁１１３とを備えてなる。
【００５９】
周壁２１１は、配管材１１に接続され、筒部の内周面に沿うように軸方向に延びる外周面を有する。また、該周壁２１１の下方側の開口端面によって、下方を向いた接続口２１０ｂが形成されている。さらに、周壁２１１の内面には、上下に延びる複数（３つ）のガイド溝２１４が形成されている。
【００６０】
上壁２１２は、所定の径で開口する貫通口２１０ａの周囲で環帯状に延在している。また、上壁２１２の弁装置本体２１０内側の貫通口２１０ａ周縁には、本体側挟持面２１５が設けられている。すなわち、図９に示すように、弁装置本体２１０内側の上壁２１２の開口周縁の下面には、弁体２２０に対向するように、環帯状の本体側挟持面２１５が定められている。
【００６１】
また、弁体収容空間２１０ｃの下方には、図９及び図１０に示すように、等間隔で径方向中心に向かって延びる４本の梁状体を有する本体側磁石保持部２１７が形成されている。本体側磁石保持部２１７によって、貫通口２１０ａの中心に本体側磁石２１８が支持されている。該本体側磁石２１８は、ネオジム磁石等の永久磁石からなり、後述する弁体側磁石２２５に斥力を作用するように機能する。
【００６２】
立壁２１３は、互いに対向するように一対で該上壁２１２の径方向略中央から立設している。この一対の立壁２１３は、平面視において、径方向内側に凹曲面を向けるように円弧形状を有する。つまり、周壁２１１の外周面、上壁２１２の周縁及び立壁２１３の外側面が（異なる径の）同心円上に位置している。立壁２１３の外側面は、周壁２１１の外周面から径方向内側に後退した位置にある。立壁２１３の上端には、カバー体２４０を嵌合式に固定するための連結片２１３ａが上方に突出するように設けられている。
【００６３】
弁体２２０は、弁装置本体２１０の弁体収容空間２１０ｃに収容され、軸方向に沿って移動するように弁装置本体２１０に支持されている。弁体２２０は、円盤状に形成された弁体本体２２１と、該弁体本体２２１の周囲に形成され、弁体２２０の軸方向の移動をガイドする複数のガイド片２２３と、該弁体本体２２１の中央に形成された弁体側磁石保持部２２４とを備える。
【００６４】
そして、弁体本体２２１の外周側の上面には、弁体側挟持面２２２が形成されている。弁体側挟持面２２２は、ゴムなどの軟質な材料で構成されることが好ましい。弁体側挟持面２２２は、弁装置本体２１０の本体側挟持面２１５に対向する。また、ガイド片２２３は、弁体本体２２１の周囲３箇所で突出形成され、複数のガイド溝２１４にそれぞれ内挿される。つまり、ガイド片２２３及びガイド溝２１４は、弁体２２０の軸方向の移動をガイドするとともに、弁体２２０が周方向に回転することを規制する。そして、弁体側磁石保持部２２４は、弁体本体２２１の中心に弁体側磁石２２５を保持している。該弁体側磁石２２５は、ネオジム磁石等の永久磁石からなる。
【００６５】
カバー体２３０は、図１１に示すように、弁装置本体２１０内部及び弁体２０を保護又は防塵するために、貫通口２１０ａを上方から覆うように構成されている。該カバー体１４０は平面視円形状を有している。該カバー体２３０の外周側には、２つのスリット状の連結孔２３１が穿設されている。なお、説明の便宜上、図７，８，９では、カバー体２３０の描写が省略されている。
【００６６】
本実施形態の弁装置２００では、該弁体側磁石２２５は、本体側磁石２１８に対して互いに反発するように配置されている。つまり、本体側磁石２１８及び弁体側磁石２２５の対向する磁極が同じである。そして、本体側磁石２１８及び弁体側磁石２２５の間に磁気的斥力（反発力）が生じ、磁力によって弁体２２０が弁体収容空間２１０ｃ内で上方に浮き上がるように閉鎖位置に付勢されている。すなわち、弁体２２０は、定常状態において、弁体本体２２１の弁体側挟持面２２２が本体側挟持面２１５に圧接して貫通口２１０ａを閉鎖する閉鎖位置に保持される。これに対し、磁力を超える下方向の力が弁体２２０に対して付加されると、軸方向に沿って弁体２２０が下方に移動し、弁体側挟持面２２２が本体側挟持面２１５から離隔して貫通口２１０ａが開放される。このとき、ガイド片２２３がガイド溝２１４に沿って移動することから、弁体２２０の軸方向の開放動作が安定的にガイドされる。
【００６７】
図１２は、弁装置２００を配管材１１に固定した配管構造１０の断面図である。配管構造１０の内部が常圧又は正圧である場合、弁装置２００の弁体２２０が貫通口２１０ａを密閉し、弁装置２００によって配管材１１内外に連通する連通路が閉鎖されている。このように配管材１１が負圧でない閉鎖状態では、磁力による付勢力が、弁体２２０に作用する開放方向の力（例えば、重力）を上回り、弁体２２０が貫通口２１０ａを定常的に閉鎖している。そして、閉鎖状態の配管構造１０では、配管材１１の下流から漂う悪臭が室内へ漏れ出ないようにするとともに、配管材１１下流側から這い上がってくる害虫の侵入をも防いでいる。
【００６８】
そして、図１２の配管構造１０において、定常的な閉鎖状態から排水管１１内の負圧が大きくなると、該配管材１１に連通する弁装置本体２１０内の弁体収容空間２１０ｃも同様に負圧になる。これにより、弁体２２０（及び貫通口２１０ａ）を介した弁装置本体２１０の内外で圧力差が生じ、この圧力差が弁体２２０を開放方向に移動させるように作用する。そして、弁体２２０に作用する開放方向の力が、磁石２１８、２２５間の斥力を上回ると、弁体２２０が軸方向に沿って開放位置に向けて移動を開始する。この弁体２２０の移動に伴って弁体側磁石２２５が軸方向に沿って本体側磁石２１８に近接移動する。そして、図１２に示すように、弁体２２０が十分に開放した開放位置に到達して、貫通口２１０ａを介して外気を吸入する。その結果として、配管構造１１内の負圧が解消される。配管構造１０内の負圧が解消されると、負圧に起因する弁体２２０に作用する力がなくなり、本体側磁石２１８及び弁体側磁石２２５の斥力によって、弁体２２０が再び閉鎖位置に復帰する。
【００６９】
図１２の配管構造１０では、配管構造１０内部の負圧発生によって弁体２２０が迅速に開放動作することが１つの利点である。しかしながら、配管構造１０内部を高圧水で洗浄する場合、内部に圧力変動や衝撃が生じることによって、弁体２２０が不意に開放動作して、高圧水が外部に噴き出すことがあった。このような高圧洗浄実施などの特別な状況下において、弁体２２０の開放動作を規制する必要がある。そこで、弁体２２０の開放動作を制御すべく、本発明に係る弁体制御装置１００が弁装置２００に導入された。
【００７０】
続いて、本実施形態の弁体制御装置１００が弁装置２００に導入された弁体閉鎖維持状態の配管構造１０について説明する。図１３は、該配管構造１０の概略斜視図である。図１４は、該配管構造１０の概略断面図である。図１５は、該配管構造１０の分解斜視図である。
【００７１】
図１３乃至図１５に示すように、配管構造１０では、配管材１１に固定された弁装置２００の弁装置本体２１０に対して、弁体制御装置１００が装着されていることにより、弁体２２０が閉鎖位置に維持されている。
【００７２】
図１４に示すとおり、吸盤部材１０１の外周部位１０１ａが貫通口２１０ａの周縁外面に圧接し、且つ、中心部位１０１ｂが潰れて弁体２２０の開放動作方向と反対側に引き上げられている。そして、吸盤部材１０１が弁体２２０の開放動作方向の反対側から貫通口２１０ａを覆うように貫通口２１０ａ周縁外面及び弁体２２０外面に吸着している。このとき、吸盤部材１０１内面、上壁２１２外面及び弁体本体２２１外面で包囲された閉鎖空間が略真空状態となっていることから、弁体２２０（弁体側挟持面２２２）が弁装置本体２１０（本体側挟持面２１５）に対して強力に吸引されている。また、当該配管構造１０において、押圧部材１０５が軸部材１０３に対して十分に螺進した状態にあり、押圧部１０５ｅが吸盤部材１０１の外周部位１０１ａを弁装置本体２１０の貫通口２１０ａの周縁外面に対して押圧する。これにより、吸盤部材１０１の外周部位１０１ａが、貫通口２１０ａの周縁外面から外れることが効果的に抑えられている。さらに、押圧部材１０５の螺進に伴って、押圧部材１０５が吸盤部材１０１の中心部位１０１ｂを上方（吸着方向の反対側）に引き上げるように作用している。この押圧部材１０５による吸盤部材１０１の引き上げによって、閉鎖空間の体積が増加してその真空度が高まることで、ただ単に吸盤部材１０１を吸着させた状態よりも強く吸着する（より真空度が高い）真空吸着状態が形成される。そして、この状態では、押圧部材１０５により吸盤部材１０１の周囲に隙間が形成されないから、吸着面に沿った吸盤部材１０１の移動も抑えられ、より強固に弁体２２０の閉鎖状態を維持することができる。すなわち、吸盤部材１０１及び押圧部材１０５が協働して、真空吸着状態を形成し、その結果、弁体２２０の開放動作が安定的に規制されている。
【００７３】
さらに、図１４の弁体閉鎖維持状態では、解除磁石１０７が保持用磁性体１０９によって待機位置に保持されている。この待機位置では、解除磁石１０７は、弁体側磁石２２５に対して、弁体２２０を開放動作させるように作用しない。つまり、弁体側磁石２２５及び本体側磁石２１８間の斥力が、弁体側磁石２２５及び解除磁石１０７間の斥力と弁体２２０への重力との和を少なくとも上回っているので、解除磁石１０７が弁体２２０を開放動作させることはない。したがって、当該配管構造１０は、吸盤部材１０１の真空吸着力で弁体２２０を閉鎖状態に恒常的に維持することで、高圧水での内部洗浄における圧力変動や衝撃に耐えることが可能である。
【００７４】
次に、図１６及び図１７を参照して、弁装置２００の弁体２２０を閉鎖状態に維持するべく、弁装置２００に対して弁体制御装置１００を導入する方法について説明する。
【００７５】
配管構造１０に設置された弁装置２００（図１２参照）に対して、弁装置２００からカバー体２３０を取り外し、弁体制御装置１００を装着可能な状態にした上で、弁体制御装置１００を準備する。次に、弁体制御装置１００を吸盤部材１０１が変形可能な中間状態（図４参照）に変形させる。そして、図１６に示すように、吸盤部材１０１の外周部位１０１ａで弁装置本体２１０の貫通口２１０ａ外周を包囲するように、吸盤部材１０１を（弁体２２０によって閉鎖された）貫通口２１０ａの周縁外面（上壁２１２外面）に開放動作方向の反対側から配置する。次に、弁体制御装置１００を弁装置２００に対して押圧すると、吸盤部材１０１が圧潰して、吸盤部材１０１が弁装置本体２１０に吸着する。
【００７６】
次いで、図１７に示すように、押圧部材１０５を一方向に回転させて軸部材１０３に対して螺進させることにより、押圧部材１０５の押圧部１０５ｅが吸盤部材１０１の外周部位１０１ａに向けて移動する。最終的に、押圧部１０５ｅが外周部位１０１ａに圧接するとともに中心部位１０１ｂを引き上げるまで押圧部材１０５を螺進させることによって、より真空度の高い真空吸着状態を形成して、吸盤部材１０１を弁装置２００に対して強固に固着することができる。こうして、図１４に示した弁体制御装置１００の設置構造を構築することができる。
【００７７】
そして、弁体制御装置１００の応用例である排水系（配管構造１０）を洗浄する方法に関しては、上記のとおり、弁体制御装置１００を弁装置２００に装着した後、排水系内部に高圧水を注入することによって、弁体２２０を閉鎖位置に安定的に維持したまま、排水系内部を洗浄することができる。
【００７８】
続いて、図１８及び図１９を参照して、弁装置２００の閉鎖維持状態を解除して、弁装置２００から弁体制御装置１００を離脱させる方法について説明する。
【００７９】
まず、図１４の弁体閉鎖維持状態から、押圧部材１０５を他方向に回転させて軸部材１０３に対して螺退させることにより、押圧部材１０５の押圧部１０５ｅが吸盤部材１０１の外周部位１０１ａから離れるように移動する（図１８参照）。図１８のように、弁体制御装置１００が中間状態にあるときには、解除磁石１０７が待機位置に保持されているとともに、吸盤部材１０１が弁装置本体２１０に吸着しているので、弁体制御装置１００を弁装置２００から容易に取り外すことができない。さらに、吸盤部材１０１の外部から弁体制御装置１００（押圧部材１０５）を操作して、押圧部材１０５を軸部材１０３に対して螺退させると、磁石１０７，１０９間の磁力が弱まり、図１９に示すように、解除磁石１０７が待機位置から作用位置へと重力で自重落下する。すると、解除磁石１０７が、閉鎖位置にある弁体２２０の弁体側磁石２２５に磁気的に作用し、弁体２２０を開放動作させる。つまり、解除磁石１０７が作用位置に配置されたことで、解除磁石１０７及び弁体側磁石２２５間の磁気斥力が、弁体２２０を閉鎖位置に付勢する力を超えて、弁体２２０が強制的に押し下げられる。弁体２２０が開放動作すると、吸盤部材１０１の内部に空気が流入し、その略真空状態が破壊されて吸盤部材１０１が元の形状に復帰する。その結果、弁体閉鎖維持状態が解除され、弁装置２００から弁体制御装置１００を離脱させることが可能となる。
【００８０】
以下、本発明に係る一実施形態の弁体制御装置１００における作用効果について説明する。
【００８１】
本実施形態の弁体制御装置１００によれば、吸盤部材１０１が押圧部材１０５と協働して弁装置本体２１０の貫通口２１０ａの周縁外面に対して真空吸着することにより、弁体２２０の開放動作を効果的に制動することができる。すなわち、吸盤部材１０１が弁装置本体２１０の貫通口２１０ａを周縁外面から覆い、且つ、弁体２２０が貫通口２１０ａを周縁内面に当接して閉鎖していることにより、貫通口２１０ａを介した吸盤部材１０１と弁体２２０との間には、密閉状態の閉鎖空間が形成されている。そして、吸盤部材１０１が真空様に潰れて弁装置本体２１０に吸着するとともに、中心部位１０１ｂが軸部材１０３によって引き上げられるように変形することにより、閉鎖空間の圧力が外部空間の圧力と比べて大幅に低下する。この圧力差が弁体２２０を吸盤部材１０１側に引き付けるように作用することにより、弁体２２０を閉鎖位置に恒常的に維持することができる。さらに、押圧部材１０５が軸部材１０３に螺着して吸盤部材１０１の外周部位１０１ａを貫通口２１０ａ周縁外面に押圧することによって、吸盤部材１０１の外周部位１０１ａが弁装置本体２１０から外れて吸盤内部の略真空状態が破壊されることを防止することができる。すなわち、本実施形態の弁体制御装置１００は、簡易な構造でもって、弁装置２００に容易且つ強固に取り付けられて、弁体２２０を閉鎖位置に制御することが可能である。
【００８２】
［別実施形態・変形例］
本発明は、上記実施形態に限定されず、種々の別実施形態及び変形例を取り得る。以下、本発明の変形例を説明する。なお、各変形例において、４桁で示される構成要素において下３桁が共通する構成要素は、説明がない限り、同一又は類似の特徴を有し、その説明を一部省略する。
【００８３】
（１）図２０の弁体制御装置１１００は、本発明の技術的思想を最小限の構成で具現化したものである。すなわち、弁体制御装置１１００は、弁装置本体１２１０を貫通する貫通口１２１０ａの周縁外面に対して吸着するように構成された吸盤部材１１０１を備える。該弁体制御装置１１００は、吸盤部材１１０１の吸着力によって、少なくとも弁体１２２０を弁装置本体１２１０の閉鎖位置に維持することを可能とする。
【００８４】
（２）図２１の弁体制御装置２１００は、上記実施形態の弁体制御装置１００から解除部材（解除磁石１０７）を省略したものである。なお、弁装置２２００の説明は、上述の弁装置２００の説明を援用し、図略する。すなわち、弁体制御装置２１００は、弁装置本体２２１０を貫通する貫通口２２１０ａの周縁外面に対して吸着するように構成された吸盤部材２１０１と、該吸盤部材２１０１の中心から立設された軸部材２１０３と、該吸盤部材２１０１の貫通口２２１０ａの周縁外面に接する外周部位２１０１ａを貫通口２２１０ａの周縁外面に押圧する押圧部材２１０５を備える。弁体制御装置２１００は、吸盤部材２１０１及び押圧部材２１０５による真空吸着の力によって弁体２２２０を弁装置本体２２１０の閉鎖位置に維持するとともに、押圧部材２１０５の押圧力によって吸盤部材２１０１が弁装置本体２２１０から外れることを防止することが可能である。
【００８５】
（３）図２２の弁体制御装置３１００は、上記実施形態の弁体制御装置１００から押圧部材１０５を省略したものである。なお、弁装置３２００の説明は、上述の弁装置２００の説明を援用し、図略する。すなわち、弁体制御装置３１００は、弁装置本体３２１０を貫通する貫通口３２１０ａの周縁外面に吸着するように構成された吸盤部材３１０１と、吸盤部材３１０１が貫通口３２１０ａの周縁外面に対して吸着した状態で、吸盤部材３１０１の外部からの操作によって弁体３２２０を開放動作方向に変位させるように作用する解除磁石３１０７とを備える。本実施形態では、吸盤部材３１０１の上方には、筒状の軸部材３１０３が連結されている。そして、解除磁石３１０７は、軸部材３１０３の収容部３１０３ｂに軸方向に移動可能に収容されている。また、軸部材３１０３の上部には、環状の保持用磁性体３１０９が設けられている。保持用磁性体３１０９は、磁力によって解除磁石３１０７を収容部３１０３ｂの上端領域の待機位置に保持する。さらに、保持用磁性体３１０９は、収容部３１０３ｂ全体に亘って解除磁石３１０７を磁力で牽引するように構成されている。つまり、解除磁石３１０７が収容部３１０３ｂの下端領域の作用位置にある場合であっても、保持用磁性体３１０９は磁力によって解除磁石３１０７を待機位置に復帰させるように作用する。そして、解除磁石３１０７の上方には、解除磁石３１０７を下方に押し下げるための操作軸３１０８が設けられている。この操作軸３１０８を手動で押し下げることにより、解除磁石３１０７を作用位置に移動させて、弁体閉鎖維持状態の解除機能を発揮させることができる。さらに、操作軸３１０８への押圧をやめることで、解除磁石３１０７を保持用磁性体３１０９からの磁気引力によって待機位置に自動的に復帰させることができる。すなわち、弁体制御装置３１００は、吸盤部材３１０１の吸着力によって弁体３２２０を弁装置本体３２１０の閉鎖位置に維持するとともに、弁体閉鎖維持状態の解除を容易に実施することが可能である。
【００８６】
（４）図２３及び図２４の弁体制御装置４１００は、上記実施形態の弁体制御装置１００の解除磁石１０７を異なる機構の解除部材に変更したものである。すなわち、弁体制御装置４１００は、弁装置本体４２１０を貫通する貫通口４２１０ａの周縁外面に対して吸着するように構成された吸盤部材４１０１と、該吸盤部材４１０１の中心から立設された軸部材４１０３と、該吸盤部材４１０１の貫通口４２１０ａの周縁外面に接する外周部位４１０１ａを貫通口４２１０ａの周縁外面に押圧する押圧部材４１０５と、弁体閉鎖維持状態を解除する解除部材（解除軸４１０８）とを備える。解除軸４１０８は、軸方向に移動可能に軸部材４１０３に密封状態で収容されている。より具体的には、解除軸４１０８の先端が、吸盤部材４１０１の内面に一体的に成形された伸縮可能な膜体（又は袋体）４１０８ａによって覆われることにより、吸盤部材４１０１内部の密封（気密）状態が担保されている。解除軸４１０８は、その先端が吸盤部材４１０１の内面まで後退した待機位置（図２３の実線で示される）と、その先端が吸盤部材４１０１の下端から延び出た作用位置（図２３の仮想線で示される）との間で移動可能である。図２４に示すように、吸盤部材４１０１が貫通口４２１０ａの周縁外面に吸着した状態で、吸盤部材４１０１の外部からの操作によって解除軸４１０８を作用位置に移動させると、解除軸４１０８先端が吸盤部材４１０１の下方に突出して、弁体４２２０を直接押圧する。すなわち、解除軸４１０８は、弁体４２２０に物理的に作用して弁体４２２０を開放動作方向に強制的に変位させるように機能する。その結果、吸盤部材４１０１内部の略真空状態が破壊され、弁体閉鎖維持状態が解除される。したがって、本発明の解除部材は、上記実施形態に限定されず、種々の機構から採用され得る。
【００８７】
（５）本発明の弁体制御装置は、吸気弁の弁体の閉塞する用途とともに説明された。しかしながら、本発明の弁体制御装置及びその技術的思想は、上記実施形態に限定されず、種々の用途に応用され得る。すなわち、本発明において、弁体は、広義には、２つの空間を連結する貫通口を開閉式に閉塞する閉塞体を意味する。そして、弁装置は、通気弁又は吸気弁に限定されず、全ての閉塞機構を包含する概念である。よって、本発明の弁体制御装置は、種々の用途の弁装置に適用され得る。例えば、弁装置は、貫通口を通して液体や粒子などの他の流体を選択的に通過させるものであってもよい。あるいは、弁装置は、２つの空間を連通する通路（貫通口）を閉塞体（弁体）によって只単に封止するものであってもよい。
【００８８】
（６）本発明において、上記一実施形態の弁体制御装置１００を種々の形態に改変することが可能である。一実施形態の弁体制御装置１００では、押圧部材は軸部材に螺合しているが、本発明はこれに限定されるものではない。例えば、軸部材は雄ねじ部を有しなくてもよい。また、一実施形態の弁体制御装置１００では、保持用磁性体が押圧部材と一体的に保持され、押圧部材に連動して解除磁石に近接及び離間移動するが、保持用磁性体は押圧部材とは独立して近接及び離間移動可能であるように別体として設けられてもよい。さらに、一実施形態の弁体制御装置１００では、弁体閉鎖維持状態においても解除磁石１０７が弁体制御装置１００の待機位置に保持されているが、解除磁石１０７は必ずしも弁体制御装置１００に保持されていなくてもよい。例えば、軸部材の収容部を開放して、弁体閉鎖維持状態を解除する際に、軸部材の収容部に解除磁石を挿入し、作用位置に配置してもい。この場合、保持用磁性体を省略することも可能となる。
【００８９】
（７）本実施形態では、弁装置（吸気弁）の弁体は、磁石の斥力によって閉鎖方向に付勢されるが、本発明はこれに限定されない。例えば、弁体の付勢は、本発明の技術的範囲の下で、（解除部材を省略したり、解除部材に磁力を用いない場合には）バネ等の他の機構によって行われてもよい。また、弁装置（吸気弁）は、例えば、特許文献１の通気弁のような他の機構で構成されてもよい。
【００９０】
（８）本実施形態では、弁体制御装置の吸盤部材の外周部位が、貫通口の外周に近接した外面に配置されたが、吸盤部材は貫通口を包囲していればよく、貫通口の外周から離隔して配置されてもよい。
【００９１】
（９）本実施形態の弁体制御装置では、吸盤部材が平面視円形状の吸盤として構成されたが、本発明は上記実施形態に限定されない。例えば、吸盤部材は、楕円形状、長円形状、多角形状などの任意の形状に変更又は修正可能である。
【００９２】
（１０）本実施形態の弁装置では、貫通口が中心に設けられた円形の開口として構成されたが、本発明は上記実施形態に限定されない。例えば、貫通口及び弁体の形状を環状（ドーナツ状）とした弁装置であっても、本発明の技術的思想を採用することができる。すなわち、当業者であれば、本発明の技術的範囲の下で、弁装置の構成を任意に変更又は修正可能である。
【００９３】
本発明は上述した実施形態や変形例に限定されるものではなく、本発明の技術的範囲に属する限りにおいて種々の態様で実施しうるものである。すなわち、本発明の技術的範囲の下で、本実施形態の一部の構成が省略又は修正されてもよく、あるいは、他の構成が追加されてもよい。
【符号の説明】
【００９４】
１０      配管構造（排水系）
１１      配管材
１００    弁体制御装置
１０１    吸盤部材
１０１ａ  外周部位
１０１ｂ  中心部位
１０１ｃ  台状部位
１０１ｄ  環状突部
１０３    軸部材
１０３ａ  雄ねじ部
１０３ｂ  収容部
１０３ｃ  封鎖部
１０３ｄ  張り出し
１０３ｅ  係止面
１０５    押圧部材
１０５ａ  本体部
１０５ｂ  裾部
１０５ｃ  フランジ部
１０５ｄ  雌ねじ部
１０５ｅ  押圧部
１０７    解除磁石（解除部材）
１０９    保持用磁性体
２００    弁装置
２１０    弁装置本体
２１０ａ  貫通口
２１０ｂ  接続口
２１０ｃ  弁体収容空間
２１１    周壁
２１２    上壁
２１３    立壁
２１４    ガイド溝
２１５    本体側挟持面
２１７    本体側磁石保持部
２１８    本体側磁石
２２０    弁体（閉鎖部）
２２１    弁体本体
２２２    弁体側挟持面
２２３    ガイド片
２２４    弁体側磁石保持部
２２５    弁体側磁石
２３０    カバー体
２３１    連結孔
【図１】
2020056469.tif 000003
【図２】
2020056469.tif 000004
【図３】
2020056469.tif 000005
【図４】
2020056469.tif 000006
【図５】
2020056469.tif 000007
【図６】
2020056469.tif 000008
【図７】
2020056469.tif 000009
【図８】
2020056469.tif 000010
【図９】
2020056469.tif 000011
【図１０】
2020056469.tif 000012
【図１１】
2020056469.tif 000013
【図１２】
2020056469.tif 000014
【図１３】
2020056469.tif 000015
【図１４】
2020056469.tif 000016
【図１５】
2020056469.tif 000017
【図１６】
2020056469.tif 000018
【図１７】
2020056469.tif 000019
【図１８】
2020056469.tif 000020
【図１９】
2020056469.tif 000021
【図２０】
2020056469.tif 000022
【図２１】
2020056469.tif 000023
【図２２】
2020056469.tif 000024
【図２３】
2020056469.tif 000025
【図２４】
2020056469.tif 000026